(57)【特許請求の範囲】
【請求項１】
音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、
前記光ディスクに記録された情報を電気信号に変換する読み出し手段と、前記読み出し手段によって変換された前記光ディスクに記録された情報から音声信号と映像信号を復調する信号処理手段と、自装置を搭載した車両が走行中か停止中かを判断する車両状態監視手段に接続され前記車両状態監視手段の判断結果に基づいて前記光ディスク内に記録された前記第１のサーチテーブルと前記第２のサーチテーブルのどちらのサーチテーブルに基づいて再生を行うかを決定するサーチテーブル選択手段とを備え、前記車両状態監視手段が前記自装置を搭載した車両は走行中であると判断した場合は、前記サーチテーブル選択手段が前記第１のサーチテーブルを選択し、前記車両状態監視手段が前記自装置を搭載した車両は停止中であると判断した場合は、前記サーチテーブル選択手段が前記第２のサーチテーブルを選択することを特徴とする車載用光ディスク再生装置。
【請求項２】
音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、
前記光ディスクに記録された情報を電気信号に変換する読み出し手段と、前記読み出し手段によって変換された前記光ディスクに記録された情報から音声信号と映像信号を復調する信号処理手段と、自装置に接続されるＴＶモニター装置の映像信号入力選択状態が本光ディスク再生装置から出力される映像信号が選択されているか、他の映像ソースが選択されているかを監視するＴＶモニター入力選択監視手段に接続され前記光ディスク内に記録された前記第１のサーチテーブルと前記第２のサーチテーブルのどちらのサーチテーブルに基づいて再生を行うかを決定するサーチテーブル選択手段とを備え、前記ＴＶモニター入力選択監視手段が前記ＴＶモニターの映像信号入力選択状態は他の映像ソースが選択されている状態であると判断した場合は、前記第１のサーチテーブルを選択し、前記ＴＶモニター入力選択監視手段が前記ＴＶモニターの映像信号入力選択状態は自装置から出力される映像信号が選択されている状態であると判断した場合は、前記第２のサーチテーブルを選択することを特徴とする車載用光ディスク再生装置。
【請求項３】
音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、
前記光ディスクに記録された情報を電気信号に変換する読み出し手段と、前記読み出し手段によって変換された前記光ディスクに記録された情報から音声信号と映像信号を復調する信号処理手段と、自装置に接続されるＴＶモニターの電源状態がＯＮなのかＯＦＦなのかを監視するＴＶモニター電源スイッチ監視手段に接続され前記光ディスク内に記録された前記第１のサーチテーブルと前記第２のサーチテーブルのどちらのサーチテーブルに基づいて再生を行うかを決定するサーチテーブル選択手段とを備え、前記ＴＶモニター電源スイッチ監視手段が前記ＴＶモニターの電源状態がＯＦＦであると判断した場合は、前記第１のサーチテーブルを選択し、前記ＴＶモニター電源スイッチ監視手段が前記ＴＶモニターの電源状態がＯＮであると判断した場合は、前記第２のサーチテーブルを選択することを特徴とする車載用光ディスク再生装置。
【請求項４】
音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、
前記光ディスクに記録された情報を電気信号に変換する読み出し手段と、前記読み出し手段によって変換された前記光ディスクに記録された情報から音声信号と映像信号を復調する信号処理手段と、自装置に接続され、画面を格納可能なＴＶモニター装置の格納状態が開かれた状態であるか格納された状態であるかを監視するＴＶモニター格納状態監視手段に接続され前記ＴＶモニター格納状態監視手段の判断結果に基づいて前記光ディスク内に記録された前記第１のサーチテーブルと前記第２のサーチテーブルのどちらのサーチテーブルに基づいて再生を行うかを決定するサーチテーブル選択手段とを備え、前記ＴＶモニター格納状態監視手段が前記ＴＶモニターの格納状態は格納された状態であると判断した場合は、前記第１のサーチテーブルを選択し、前記ＴＶモニター格納状態監視手段が前記ＴＶモニターの格納状態は開かれた状態であると判断した場合は、前記第２のサーチテーブルを選択することを特徴とする車載用光ディスク再生装置。
【発明の詳細な説明】
【０００１】
本発明は、ＤＶＤオーディオ等の光学的にデータを記録再生する車載用光ディスク装置に関し、特に、光ディスク内に記録された映像や音声の再生手順が記述されたサーチテーブルが音声のみの再生装置と映像を再生することができる再生装置用に２種類設けられた光ディスクを再生する際、接続されたＴＶモニターや再生装置が搭載されている車両の状況に合わせて最適なサーチテーブルを選択することのできる車載用光ディスク再生装置を提供することを目的とする。
【０００２】
【従来の技術】
近年、光ディスクの高密度化、動画データの圧縮技術の向上によって、ＤＶＤオーディオ等のように、音声および動画をディジタルデータに変換後、圧縮して光ディスクに記録する光ディスク再生装置が実用化され普及する傾向にある。このような光ディスクでは、音声のみで構成される再生データと、音声と動画を含む再生データの両方が同一のディスクに存在することが可能である。またこれらの再生データは、同一の光ディスク内に記録される管理情報内のサーチテーブル情報によってその再生データの再生順序が管理される。ＤＶＤオーディオ等のような光ディスクでは、サーチテーブルは２種類あり、１つは音声のみ再生できる再生装置によって再生されることを意図されたサーチテーブルであり、１つは音声および映像を再生可能な再生装置によって再生されることを意図されたサーチテーブルである。
【０００３】
光ディスク再生装置の商品形態は様々であり、家庭のリビングルームに設置され、ＴＶモニターに接続されるようないわゆる据え置き型プレーヤー、また、バッテリィ駆動時間が長くなるように映像出力再生機能、および映像出力端子を持たないポータブル型プレーヤー等の形態が考えられる。ＤＶＤオーディオ等の光ディスクでは、記録されるコンテンツを制作する側で、商品形態に最も適した再生順序を決定するために２つのサーチテーブルが管理情報に記録できるようなデータ構造となっている。このため、映像再生手段を持たないポータブル型などの光ディスク再生装置は、再生時音声のみ再生できる再生装置によって再生されることを意図されたサーチテーブルを参照して、再生データおよび再生順序を決定する。また、映像再生手段を有する据え置き型プレーヤなどの光ディスク再生装置は、音声および映像を再生可能な再生装置によって再生されることを意図されたサーチテーブルを参照し再生データおよび再生順序を決定する。
【０００４】
また、最近では車両にもこの種の光ディスク再生装置が搭載され、このような車載用光ディスク再生装置に接続されるＴＶモニターは、特願平 8-331467 号公報に知られるように、車両の走行信号などによって車両の状態を検出し、走行中となった場合はＴＶモニターから映像が再生されることを禁止したり、映像信号だけ運転上安全に支障をきたさない再生映像に自動的に切り替えるような構造となっているものがある。また、車両に搭載されるＴＶモニターには、様々な形状のものが商品化されており、車両のダッシュボードに液晶ディスプレーを埋め込み、運転者の操作によってダッシュボードから引き出してＴＶモニターを見たり、不要なときにはダッシュボード内に格納できるような形状をもつＴＶモニターもある。
【０００５】
【発明が解決しようとする課題】
上記従来の光ディスク再生装置では、光ディスク内に記録されている２つのサーチテーブルのうちどちらのサーチテーブルを参照して再生するかが、商品形態によって一義的に決定されていた。このため、例えば車載用の光ディスク再生では、車両が走行時には、光ディスクに記録される音声データは再生されるが、映像データは再生されないか、再生されたとしてもＴＶモニターの入力切り替えが他の映像ソースに切り替わることがあり得るという問題を有していた。
【０００６】
このとき、従来の光ディスク再生装置が、音声および映像を再生可能な再生装置によって再生されることを意図されたサーチテーブルを参照するように設計されていたとしたら、映像と音声の両方を再生することで、意味を持つコンテンツを音声だけで再生してしまい、元々コンテンツの制作者の意図する視聴環境とは異なる環境で再生してしまうという問題を有していた。また、従来の光ディスク再生装置が、音声のみ再生できる再生装置によって再生されることを意図されたサーチテーブルを参照するように設計されていたとしても、車両が停止状態でＴＶモニターからは光ディスク内の記録された映像データを再生可能にも関わらず映像と音声の両方再生することで、意味を持つコンテンツが選択されないという問題を有していた。
【０００７】
また、ＴＶモニターは光ディスク再生装置、および音声再生装置と独立して電源をＯＮ、ＯＦＦできるものが一般的であり、視聴者がＴＶモニターだけ電源をＯＦＦした場合、音声および映像を再生可能な再生装置によって再生されることを意図されたサーチテーブルを参照するように設計された光ディスク再生装置では、映像と音声の両方を再生することで意味を持つコンテンツを音声だけで再生してしまい、元々コンテンツの制作者の意図する視聴環境とは異なる環境で再生してしまうという問題を有していた。また、従来の光ディスク再生装置が音声のみ再生できる再生装置によって再生されることを意図されたサーチテーブルを参照するように設計されていたとしても、ＴＶモニターの電源をＯＮの状態で映像データを再生可能にも関わらず映像と音声の両方再生することで、意味を持つコンテンツが選択されないという問題を有していた。
【０００８】
また、ＴＶモニターが格納可能な形状のものである場合、視聴者がＴＶモニターを車両のダッシュボードに格納した場合、音声および映像を再生可能な再生装置によって再生されることを意図されたサーチテーブルを参照するように設計された光ディスク再生装置では、映像と音声の両方を再生することで意味を持つコンテンツを音声だけで再生してしまい、元々コンテンツの制作者の意図する視聴環境とは異なる環境で再生してしまうという問題を有していた。また、従来の光ディスク再生装置が音声のみ再生できる再生装置によって再生されることを意図されたサーチテーブルを参照するように設計されていたとしても、ＴＶモニターをダッシュボードから引き出し映像表示可能な状態の場合は、映像データを再生可能にも関わらず映像と音声の両方再生することで、意味を持つコンテンツが選択されないという問題を有していた。
【０００９】
本発明は、上記した従来の問題を解決するもので、車両の状態が変化したり、視聴者の操作によって光ディスク再生装置からの映像信号がＴＶモニターに表示されない状態と表示される状態とが変化したとしても、そのときどきの状態に応じて最適な映像コンテンツを選択して光ディスクを再生することができる優れた車載用光ディスク再生装置を提供することを目的とする。
【００１０】
【課題を解決するための手段】
上記目的を達成するため、本発明による車載用光ディスク再生装置は、再生中に車両が停止中か走行中かを監視し、走行中の場合は音声のみ再生できる再生装置によって再生されることを意図されたサーチテーブルを参照し、停止中は音声および映像を再生可能な再生装置によって再生されることを意図されたサーチテーブルを参照するようにしたものであり、ＴＶモニターから光ディスク再生装置の再生映像を表示する場合、もしくは再生映像を表示しない場合それぞれの場合で最適な再生を行うことができる。
【００１１】
また本発明による車載用光ディスク再生装置は、再生中にＴＶモニターが表示している映像ソースの入力選択状態を監視し、光ディスク再生装置が選択されていない場合は音声のみ再生できる再生装置によって再生されることを意図されたサーチテーブルを参照し、選択されている場合は音声および映像を再生可能な再生装置によって再生されることを意図されたサーチテーブルを参照するようにしたものであり、ＴＶモニターから光ディスク再生装置の再生映像を表示する場合、もしくは再生映像を表示しない場合それぞれの場合で最適な再生を行うことができる。
【００１２】
また本発明による車載用光ディスク再生装置は、再生中にＴＶモニターの電源スイッチの状態を監視し、ＴＶモニターの電源がＯＦＦの場合は音声のみ再生できる再生装置によって再生されることを意図されたサーチテーブルを参照し、ＯＮの場合は音声および映像を再生可能な再生装置によって再生されることを意図されたサーチテーブルを参照するようにしたもにであり、ＴＶモニターから光ディスク再生装置の再生映像を表示する場合、もしくは再生映像を表示しない場合それぞれの場合で最適な再生を行うことができる。
【００１３】
また本発明による車載用光ディスク再生装置は、格納可能なＴＶモニターの格納状態をスイッチによって監視し、ＴＶモニターの格納状態が、閉の場合は音声のみ再生できる再生装置によって再生されることを意図されたサーチテーブルを参照し、開の場合は音声および映像を再生可能な再生装置によって再生されることを意図されたサーチテーブルを参照するようにしたものであり、ＴＶモニターから光ディスク再生装置の再生映像を表示する場合、もしくは再生映像を表示しない場合それぞれの場合で最適な再生を行うことができる。
【００１４】
【発明の実施の形態】
本発明は、音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、前記光ディスクに記録された情報を電気信号に変換する読み出し手段と、前記読み出し手段によって変換された前記光ディスクに記録された情報から音声信号と映像信号を復調する信号処理手段と、自装置を搭載した車両が走行中か停止中かを判断する車両状態監視手段に接続され前記車両状態監視手段の判断結果に基づいて前記光ディスク内に記録された前記第１のサーチテーブルと前記第２のサーチテーブルのどちらのサーチテーブルに基づいて再生を行うかを決定するサーチテーブル選択手段とを備え、前記車両状態監視手段が前記自装置を搭載した車両は走行中であると判断した場合は、前記サーチテーブル選択手段が前記第１のサーチテーブルを選択し、前記車両状態監視手段が前記自装置を搭載した車両は停止中であると判断した場合は、前記サーチテーブル選択手段が前記第２のサーチテーブルを選択することを特徴とする車載用光ディスク再生装置であり、ＴＶモニターから光ディスク再生装置の再生映像を表示する場合、もしくは再生映像を表示しない場合のそれぞれの場合で最適な再生を行うことができるという作用を有する。
【００１５】
本発明は、音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、前記光ディスクに記録された情報を電気信号に変換する読み出し手段と、前記読み出し手段によって変換された前記光ディスクに記録された情報から音声信号と映像信号を復調する信号処理手段と、自装置に接続されるＴＶモニター装置の映像信号入力選択状態が本光ディスク再生装置から出力される映像信号が選択されているか、他の映像ソースが選択されているかを監視するＴＶモニター入力選択監視手段に接続され前記光ディスク内に記録された前記第１のサーチテーブルと前記第２のサーチテーブルのどちらのサーチテーブルに基づいて再生を行うかを決定するサーチテーブル選択手段とを備え、前記ＴＶモニター入力選択監視手段が前記ＴＶモニターの映像信号入力選択状態は他の映像ソースが選択されている状態であると判断した場合は、前記第１のサーチテーブルを選択し、前記ＴＶモニター入力選択監視手段が前記ＴＶモニターの映像信号入力選択状態は自装置から出力される映像信号が選択されている状態であると判断した場合は、前記第２のサーチテーブルを選択することを特徴とする車載用光ディスク再生装置であり、ＴＶモニターから光ディスク再生装置の再生映像を表示する場合、もしくは再生映像を表示しない場合のそれぞれの場合で最適な再生を行うことができるという作用を有する。
【００１６】
本発明は、音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、前記光ディスクに記録された情報を電気信号に変換する読み出し手段と、前記読み出し手段によって変換された前記光ディスクに記録された情報から音声信号と映像信号を復調する信号処理手段と、自装置に接続されるＴＶモニターの電源状態がＯＮなのかＯＦＦなのかを監視するＴＶモニター電源スイッチ監視手段に接続され前記光ディスク内に記録された前記第１のサーチテーブルと前記第２のサーチテーブルのどちらのサーチテーブルに基づいて再生を行うかを決定するサーチテーブル選択手段とを備え、前記ＴＶモニター電源スイッチ監視手段が前記ＴＶモニターの電源状態がＯＦＦであると判断した場合は、前記第１のサーチテーブルを選択し、前記ＴＶモニター電源スイッチ監視手段が前記ＴＶモニターの電源状態がＯＮであると判断した場合は、前記第２のサーチテーブルを選択することを特徴とする車載用光ディスク再生装置であり、ＴＶモニターから光ディスク再生装置の再生映像を表示する場合、もしくは再生映像を表示しない場合のそれぞれの場合で最適な再生を行うことができるという作用を有する。
【００１７】
本発明は、音声のみを再生することができる再生装置のための再生手順が記述された第１のサーチテーブルと映像信号と音声信号の両方を再生することが可能な再生装置のための再生手順が記述された第２のサーチテーブルが記録された光ディスクを再生する車載用光ディスク再生装置において、前記光ディスクに記録された情報を電気信号に変換する読み出し手段と、前記読み出し手段によって変換された前記光ディスクに記録された情報から音声信号と映像信号を復調する信号処理手段と、自装置に接続され、画面を格納可能なＴＶモニター装置の格納状態が開かれた状態であるか格納された状態であるかを監視するＴＶモニター格納状態監視手段に接続され前記ＴＶモニター格納状態監視手段の判断結果に基づいて前記光ディスク内に記録された前記第１のサーチテーブルと前記第２のサーチテーブルのどちらのサーチテーブルに基づいて再生を行うかを決定するサーチテーブル選択手段とを備え、前記ＴＶモニター格納状態監視手段が前記ＴＶモニターの格納状態は格納された状態であると判断した場合は、前記第１のサーチテーブルを選択し、前記ＴＶモニター格納状態監視手段が前記ＴＶモニターの格納状態は開かれた状態であると判断した場合は、前記第２のサーチテーブルを選択することを特徴とする光ディスク再生装置であり、ＴＶモニターから光ディスク再生装置の再生映像を表示する場合、もしくは再生映像を表示しない場合のそれぞれの場合で最適な再生を行うことができるという作用を有する。
【００１８】
以下、本発明の実施の形態を図面を参照して説明する。
（実施の形態１）
図１は本発明の実施の形態１における車載用光ディスク再生装置であるＤＶＤオーディオ再生装置の概略ブロック図である。図１において、１は光ディスク、２は光ディスク１の情報を電気信号に変換する読み出し手段、３は読み出し手段２によって変換された光ディスク１の内の情報から音声信号と映像信号を復調する信号処理手段、４は光ディスク１に記録された第１のサーチテーブルと第２のサーチテーブルのどちらのサーチテーブルを参照して再生を行うかを決定するサーチテーブル選択手段、５は信号処理手段３の復調した映像信号を外部のＴＶモニターに接続する映像出力端子、６は信号処理手段３の復調した音声データを外部の音声再生装置に接続する音声出力端子、７は本装置が搭載された車両が走行中か停止中かを監視する車両状態監視手段である。
【００１９】
図５は本発明の各実施の形態に使用される光ディスク内の情報の記録内容を示している。図５において、１１は光ディスク１内の管理情報領域であり、１１ａは音声のみ再生できる再生装置によって再生されることを意図された第１のサーチテーブル、１１ｂは音声および映像を再生可能な再生装置によって再生されることを意図された第２のサーチテーブルである。１２は光ディスク１に記録された再生データであり、１２ａは音声のみで構成される第１の再生データ、１２ｂは音声のみで構成される第２の再生データ、１２ｃは音声のみで構成される第３の再生データ、１２ｄは音声のみで構成される第４の再生データ、１２ｅは音声と映像の再生データで構成される第５の再生データである
【００２０】
図６（ａ）は第１のサーチテーブルにおけるデータ構造を示す。１３は第１のサーチテーブルにおいて、１曲目に選択される曲のアドレスが記述されたテーブルデータ、１４は第１のサーチテーブルにおいて、２曲目に選択される曲のアドレスが記述されたテーブルデータ、１５は第１のサーチテーブルにおいて、３曲目に選択される曲のアドレスが記述されたテーブルデータ、１６は第１のサーチテーブルにおいて、４曲目に選択される曲のアドレスが記述されたテーブルデータである。
【００２１】
図６（ｂ）は第２のサーチテーブルにおけるデータ構造を示す。１３は第２のサーチテーブルにおいて、１曲目に選択される曲のアドレスが記述されたテーブルデータ、１４は第２のサーチテーブルにおいて、２曲目に選択される曲のアドレスが記述されたテーブルデータ、１５は第２のサーチテーブルにおいて、３曲目に選択される曲のアドレスが記述されたテーブルデータ、１６は第２のサーチテーブルにおいて、４曲目に選択される曲のアドレスが記述されたテーブルデータ、１７は第２のサーチテーブルにおいて、５曲目に選択される曲のアドレスが記述されたテーブルデータである。
【００２２】
次に、本実施の形態１の動作について図７に示すフロー図を参照しながら説明する。車両状態監視手段７は、車両の走行パルスまたはパーキングブレーキの状態によって車両が走行中であるか、停止中であるかを判断する（ステップＳ１）。サーチテーブル選択手段４は、車両状態監視手段７の判断結果に基づいて光ディスク１の管理情報領域１１に記録されたサーチテーブルの選択を行う。走行中の場合は、第１のサーチテーブル１１ａが選択される（ステップＳ２）。第１のサーチテーブル１１ａは、図６（ａ）に示すように、全て音声のみのデータを参照する４曲のデータによって構成される。すなわち、第１曲目はTRACK １のアドレスを参照することが可能なデータ構成となっており、第２、第３、第４曲目はそれぞれTRACK ２、３、４のアドレスを参照することが可能なデータ構成となっている。読み出し手段２は、順次サーチテーブル選択手段４の選択したサーチテーブルに従って光ディスク１のデータを読み出す。信号処理手段３は、読み出し手段２の読み出すデータを音声データに変換し、音声出力端子６より外部の機器へ出力する。
【００２３】
車両状態監視手段７が停止中と判断した場合、サーチテーブル選択手段４は、管理上領域１１に記録された第２のサーチテーブル１１ｂを選択する。同様なメカニズムによって、TRACK １、２、３，４、５の５曲が順次再生される。TRACK ５は音声と映像の情報で構成される曲であり、車両が走行中の時は音声のみで構成されるTRACK １，２，３，４の４曲が順次演奏され、停止中の場合は映像情報を含むTRACK ５を含む５曲が順次再生されるように動作する。
【００２４】
このように、本実施の形態１によれば、再生中に車両状態監視手段７が車両が停止中か走行中かを監視し、その結果に基づきサーチテーブル選択手段４が、走行中の場合は音声のみ再生できる再生装置によって再生されることを意図されたサーチテーブルを参照し、停止中は音声および映像を再生可能な再生装置によって再生されることを意図されたサーチテーブルを参照するようにしたので、ＴＶモニターから光ディスク再生装置の再生映像を表示する場合、もしくは再生映像を表示しない場合それぞれの場合で最適な再生を行うことができる。
【００２５】
（実施の形態２）
図２は本発明の実施の形態２における車載用光ディスク再生装置であるＤＶＤオーディオ再生装置の概略ブロック図である。図２において、１は光ディスク、２は光ディスク１の情報を電気信号に変換する読み出し手段、３は読み出し手段２によって変換された光ディスク１の内の情報から音声信号と映像信号を復調する信号処理手段、４は光ディスク１に記録された第１のサーチテーブルと第２のサーチテーブルのどちらのサーチテーブルを参照して再生を行うかを決定するサーチテーブル選択手段、５は信号処理手段３の復調した映像信号を外部のＴＶモニターに接続する映像出力端子、６は信号処理手段３の復調した音声データを外部の音声再生装置に接続する音声出力端子、８は本装置に接続されたＴＶモニターの映像信号入力状態が光ディスク再生装置から出力される映像信号を選択されているか、他の映像ソースが選択されているかを監視するＴＶモニター入力選択監視手段である。
【００２６】
次に、本実施の形態２の動作について図８に示すフロー図を参照しながら説明する。ＴＶモニター入力選択状態監視手段８は、接続されたＴＶモニターと通信を行うことによって現在この光ディスク再生装置からの映像信号が選択されているか、選択されていないかを逐次判断する（ステップＳ１１）。サーチテーブル選択手段４は、ＴＶモニター入力選択状態監視手段８の判断結果に基づいて光ディスク１の管理情報領域１１に記録されたサーチテーブルの選択を行う。映像信号が選択されていない場合は、第１のサーチテーブル１１ａが選択される（ステップＳ１３）。第１のサーチテーブル１１ａは、図６（ａ）に示すように、全て音声のみのデータを参照する４曲のデータによって構成される。すなわち、第１曲目はTRACK １のアドレスを参照することが可能なデータ構成となっており、第２、第３、第４曲目はそれぞれTRACK ２、３、４のアドレスを参照することが可能なデータ構成となっている。読み出し手段２は、順次サーチテーブル選択手段４の選択したサーチテーブルに従って光ディスク１のデータを読み出す。信号処理手段３は、読み出し手段２の読み出すデータを音声データに変換し、音声出力端子６より外部の機器へ出力する。
【００２７】
ＴＶモニター入力選択状態監視手段８が選択されていると判断した場合、サーチテーブル選択手段４は、管理上領域１１に記録された第２のサーチテーブル１１ｂを選択する（ステップＳ１２）。同様なメカニズムによって、TRACK １、２、３，４、５の５曲が順次再生される。TRACK ５は音声と映像の情報で構成される曲であり、ＴＶモニターから本光ディスク再生装置の再生映像が出力されていない時は音声のみで構成されるTRACK １，２，３，４の４曲が順次演奏され、出力されている時は映像情報を含むTRACK ５を含む５曲が順次再生されるように動作する。
【００２８】
このように、本実施の形態２によれば、再生中にＴＶモニター入力選択状態監視手段８がＴＶモニターが表示している映像ソースの入力選択状態を監視し、その判断結果に基づいてサーチテーブル選択手段４が、光ディスク再生装置が選択されていない場合は音声のみ再生できる再生装置によって再生されることを意図されたサーチテーブルを参照し、選択されている場合は音声および映像を再生可能な再生装置によって再生されることを意図されたサーチテーブルを参照するようにしたので、ＴＶモニターから光ディスク再生装置の再生映像を表示する場合、もしくは再生映像を表示しない場合それぞれの場合で最適な再生を行うことができる。
【００２９】
（実施の形態３）
図３は本発明の実施の形態３における車載用光ディスク再生装置であるＤＶＤオーディオ再生装置の概略ブロック図である。図３において、１は光ディスク、２は光ディスク１の情報を電気信号に変換する読み出し手段、３は読み出し手段２によって変換された光ディスク１の内の情報から音声信号と映像信号を復調する信号処理手段、４は光ディスク１に記録された第１のサーチテーブルと第２のサーチテーブルのどちらのサーチテーブルを参照して再生を行うかを決定するサーチテーブル選択手段、５は信号処理手段３の復調した映像信号を外部のＴＶモニターに接続する映像出力端子、６は信号処理手段３の復調した音声データを外部の音声再生装置に接続する音声出力端子、９は本装置に接続されたＴＶモニターの電源状態がＯＮなのかＯＦＦなのかを監視するＴＶモニター電源スイッチ監視手段である。
【００３０】
次に、本実施の形態３の動作について図９に示すフロー図を参照しながら説明する。ＴＶモニター電源スイッチ監視手段９は、接続されたＴＶモニターの電源スイッチを監視することで、現在ＴＶモニターが本光ディスク再生装置からの映像信号が再生可能か、再生不可能かを逐次判断する（ステップＳ２１）。サーチテーブル選択手段４は、ＴＶモニター電源スイッチ監視手段９の判断結果に基づいて光ディスク１の管理情報領域１１に記録されたサーチテーブルの選択を行う。ＴＶモニターの電源がＯＦＦの場合は、第１のサーチテーブル１１ａが選択される（ステップＳ２２）。第１のサーチテーブル１１ａは、図６（ａ）に示すように、全て音声のみのデータを参照する４曲のデータによって構成される。すなわち、第１曲目はTRACK １のアドレスを参照することが可能なデータ構成となっており、第２、第３、第４曲目はそれぞれTRACK ２、３、４のアドレスを参照することが可能なデータ構成となっている。読み出し手段２は、順次サーチテーブル選択手段４の選択したサーチテーブルに従って光ディスク１のデータを読み出す。信号処理手段３は、読み出し手段２の読み出すデータを音声データに変換し、音声出力端子６より外部の機器へ出力する。
【００３１】
ＴＶモニター電源スイッチ監視手段９がＯＮと判断した場合、サーチテーブル選択手段４は、管理上領域１１に記録された第２のサーチテーブル１１ｂを選択する（ステップＳ２３）。同様なメカニズムによって、TRACK １、２、３，４、５の５曲が順次再生される。TRACK ５は音声と映像の情報で構成される曲であり、ＴＶモニターから本光ディスク再生装置の再生映像が出力されていない時は音声のみで構成されるTRACK １，２，３，４の４曲が順次演奏され、出力されている時は映像情報を含むTRACK ５を含む５曲が順次再生されるように動作する。
【００３２】
このように、本実施の形態３によれば、再生中にＴＶモニター電源スイッチ監視手段９がＴＶモニターの電源スイッチの状態を監視し、ＴＶモニター電源スイッチ監視手段９の判断結果に基づいてサーチテーブル選択手段４が、ＴＶモニターの電源がＯＦＦの場合は音声のみ再生できる再生装置によって再生されることを意図されたサーチテーブルを参照し、ＯＮの場合は音声および映像を再生可能な再生装置によって再生されることを意図されたサーチテーブルを参照するようにしたので、ＴＶモニターから光ディスク再生装置の再生映像を表示する場合、もしくは再生映像を表示しない場合それぞれの場合で最適な再生を行うことができる。
【００３３】
（実施の形態４）
図４は本発明の実施の形態４における車載用光ディスク再生装置であるＤＶＤオーディオ再生装置の概略ブロック図である。図４において、１は光ディスク、２は光ディスク１の情報を電気信号に変換する読み出し手段、３は読み出し手段２によって変換された光ディスク１の内の情報から音声信号と映像信号を復調する信号処理手段、４は光ディスク１に記録された第１のサーチテーブルと第２のサーチテーブルのどちらのサーチテーブルを参照して再生を行うかを決定するサーチテーブル選択手段、５は信号処理手段３の復調した映像信号を外部のＴＶモニターに接続する映像出力端子、６は信号処理手段３の復調した音声データを外部の音声再生装置に接続する音声出力端子、１０は本装置に接続された格納可能なＴＶモニターの格納状態が開なのか閉なのかを監視するＴＶモニター格納状態監視手段である。
【００３４】
本実施の形態におけるＴＶモニターは、車両のダッシュボード内に埋め込まれた液晶ディスプレータイプのものであり、図１１（ａ）に示すように、ダッシュボード１８にＴＶモニター開閉カバー１９が設けられ、その下にＴＶモニター格納状態監視スイッチ２０が配置されている。そして、図１１（ｂ）に示すようにカバー１９を開くと、ＴＶモニター２１の画面が現れるようになっている。このような格納構造の他に、カバー１９の裏側に液晶ディスプレーを配置した構造とし、カバー１９を反転させることにより、ＴＶモニターの画面が現れるような構造であってもよい。
【００３５】
次に、本実施の形態４の動作について図１０に示すフロー図を参照しながら説明する。ＴＶモニター格納状態監視手段１０は、接続された格納可能なＴＶモニターの状態を監視する（ステップＳ３１）。ＴＶモニターが、図１１（ａ）のように格納されている場合は、ＴＶ状態監視スイッチ２０はＯＦＦとなり、図１１（ｂ）のように開かれた状態では、ＴＶ状態監視スイッチ２０はＯＮとなる。サーチテーブル選択手段４は、光ディスク１の管理情報領域１１に記録されたサーチテーブルの選択を行う。ＴＶモニターが格納された閉の場合は、第１のサーチテーブル１１ａが選択される（ステップＳ３２）。第１のサーチテーブル１１ａは、図６（ａ）に示すように、全て音声のみのデータを参照する４曲のデータによって構成される。すなわち、第１曲目はTRACK １のアドレスを参照することが可能なデータ構成となっており、第２、第３、第４曲目はそれぞれTRACK ２、３、４のアドレスを参照することが可能なデータ構成となっている。読み出し手段２は、順次サーチテーブル選択手段４の選択したサーチテーブルに従って光ディスク１のデータを読み出す。信号処理手段３は、読み出し手段２の読み出すデータを音声データに変換し、音声出力端子６より外部の機器へ出力する。
【００３６】
ＴＶモニターが開放された開の場合は、サーチテーブル選択手段４は、管理上領域１１に記録された第２のサーチテーブル１１ｂを選択する（ステップＳ３３）。同様なメカニズムによって、TRACK １、２、３，４、５の５曲が順次再生される。TRACK ５は音声と映像の情報で構成される曲であり、ＴＶモニターから本光ディスク再生装置の再生映像が出力されていない時は音声のみで構成されるTRACK １，２，３，４の４曲が順次演奏され、出力されている時は映像情報を含むTRACK ５を含む５曲が順次再生されるように動作する。
【００３７】
このように、本実施の形態４によれば、格納可能なＴＶモニターの格納状態をＴＶモニター格納状態監視手段１０によって監視し、ＴＶモニターの格納状態が閉の場合は音声のみ再生できる再生装置によって再生されることを意図されたサーチテーブルを参照し、開の場合は音声および映像を再生可能な再生装置によって再生されることを意図されたサーチテーブルを参照するようにしたものであり、ＴＶモニターから光ディスク再生装置の再生映像を表示する場合、もしくは再生映像を表示しない場合それぞれの場合で最適な再生を行うことができる。
【００３８】
【発明の効果】
以上のように、請求項１に記載の発明は、車両が走行しＴＶモニターから本光ディスク再生装置の再生映像が出力されていない時は音声のみで構成される曲が順次演奏され、車両が停止し、映像が出力されている時は映像情報を含む曲が順次再生されるというように、常にＴＶモニターの状態に最適な再生を行えるという効果がある。
【００３９】
また請求項２に記載の発明は、ＴＶモニターの入力切り替えが他のソースとなっており、本光ディスク再生装置の再生映像が出力されていない時は音声のみで構成される曲が順次演奏され、出力されている時は映像情報を含む曲が順次再生されるというように、常にＴＶモニターの状態に最適な再生を行えるという効果がある。
【００４０】
また請求項３に記載の発明は、ＴＶモニターの電源が切られ、本光ディスク再生装置の再生映像が出力されていない時は音声のみで構成される曲が順次演奏され、出力されている時は映像情報を含む曲が順次再生されるというように、常にＴＶモニターの状態に最適な再生を行えるという効果がある。
【００４１】
また請求項４に記載の発明は、ＴＶモニターの本体が収納されており、本光ディスク再生装置の再生映像が視聴者から見えない時は音声のみで構成される曲が順次演奏され、再生映像をみることが可能な時は映像情報を含む曲が順次再生されるというように、常にＴＶモニターの状態に最適な再生を行えるという効果がある。
【図面の簡単な説明】
【図１】本発明の実施の形態１における車両用光ディスク再生装置の概略ブロック図
【図２】本発明の実施の形態２における車両用光ディスク再生装置の概略ブロック図
【図３】本発明の実施の形態３における車両用光ディスク再生装置の概略ブロック図
【図４】本発明の請求項４記載の車載用光ディスク再生装置の概略ブロック図
【図５】本発明で使用される光ディスク内の記録内容を示す模式図
【図６】（ａ）第１のサーチテーブルのデータ構造図
（ｂ）第２のサーチテーブルのデータ構造図
【図７】本発明の実施の形態１におけるサーチテーブル選択手段の動作を示すフロー図
【図８】本発明の実施の形態２におけるサーチテーブル選択手段の動作を示すフロー図
【図９】本発明の実施の形態３におけるサーチテーブル選択手段の動作を示すフロー図
【図１０】本発明の実施の形態４におけるサーチテーブル選択手段の動作を示すフロー図
【図１１】（ａ）ＴＶモニター開閉カバーを閉じた状態の概略斜視図
（ｂ）ＴＶモニター開閉カバーを開いた状態の概略斜視図
【符号の説明】
１  光ディスク
２  読み出し手段
３  信号処理手段
４  サーチテーブル選択手段
５  映像出力端子
６  音声出力端子
７  車両状態監視手段
８  ＴＶモニター入力監視手段
９  ＴＶモニター電源スイッチ監視手段
１０  ＴＶモニター格納状態監視手段
１８  ダッシュボード
１９  ＴＶモニター開閉カバー
２０  ＴＶモニター格納状態監視スイッチ
２１  ＴＶモニター
【図１】
0004301637.tif 000002
【図２】
0004301637.tif 000003
【図３】
0004301637.tif 000004
【図４】
0004301637.tif 000005
【図５】
0004301637.tif 000006
【図６】
0004301637.tif 000007
【図７】
0004301637.tif 000008
【図８】
0004301637.tif 000009
【図９】
0004301637.tif 000010
【図１０】
0004301637.tif 000011
【図１１】
0004301637.tif 000012